(57)【要約】【課題】  表裏に表示部を備えた携帯端末において、十分な強度を確保しつつ十分な薄型化を実現する。【解決手段】  第１の表示部１１と、第１の表示部１１よりも小さい第２の表示部１２とを互いに重ね合わせて筐体内に配設する。第１および第２の表示部１１、１２の表示面１１ａ、１２ａと反対側の面に、第１および第２の表示部１１、１２をそれぞれ補強する第１および第２の補強板１３、１５を設ける。第１の表示部１１が第１の補強板１３と重なる範囲と第２の表示部１２が第２の補強板１５と重なる範囲とが互いにずれるように配置する。【選択図】  図３
2005192012.tif 000002
【特許請求の範囲】
【請求項１】
互いの表示面が反対方向を向くように設けられた第１の表示部と第２の表示部とを有する携帯端末において、少なくとも前記第１の表示部は、表示面を有する第１の表示器と、該第１の表示器の背面に設けられた第１の補強板とを含み、前記第１の補強板には切り欠き部を備え、前記第２の表示部における背面部の少なくとも一部を前記切り欠き部に嵌合して前記第１及び第２の表示部を筐体内に搭載するようにしたことを特徴とする携帯端末。
【請求項２】
前記第２の表示部は、第２の表示面を有する表示器と、該第２の表示器の背面に設けられた第２の補強板を含むと共に、前記第２の補強板は、その背面中央に背面周縁に対して厚み方向に突出した凸部を有し、当該第２の補強板の凸部を前記第１の補強板の切り欠き部に嵌合してあることを特徴とする請求項１に記載の携帯端末。
【請求項３】
前記第１の補強板の切り欠き部近傍に、前記第２の補強板を挟持する爪部を具備することを特徴とする請求項２に記載の携帯端末。
【請求項４】
前記筐体は、開閉可能に連結された２つの筐体片からなり、当該２つの筐体片のうちいずれか一方の筐体片に前記第１及び第２の表示部をそれぞれ備えると共に、前記第１の表示部の表示面は閉状態にしたときに他方の筐体片と対向する面側に、前記第２の表示部の表示面は閉状態にしたときに他方の筐体片と対向する面と反対の面側にそれぞれ位置するように配したことを特徴とするとする請求項１ないし３のいずれか一に記載の携帯端末。
【発明の詳細な説明】
【技術分野】
【０００１】
本発明は、携帯電話機などの携帯端末に係り、特に、筐体の表裏にそれぞれ表示部を備えた携帯端末に関するものである。
【背景技術】
【０００２】
一般に、携帯電話機などの携帯端末として折り畳み型が多く普及している。そして、この折り畳み型の携帯端末では、さらなる薄型軽量化および多機能化にともない、折り畳んだ状態においても、日付、時刻あるいは通信状況などの各種情報を表示させるために、筐体の表裏に表示部を設けている。
ところが、上記のように、筐体の表裏に表示部を設けると、厚さが厚くなってしまう。このため、表示部同士を重ね合わせて配設し、薄型化を図ることが行われている。
【特許文献１】特開平１１−１８３９０５号公報
【発明の開示】
【発明が解決しようとする課題】
【０００３】
ところで、近年では、携帯端末のさらなる薄型化の要求にともない、さらに薄い表示部が開発されているが、このような薄い表示部にあっては、ひねりや面に垂直にかかる力に対する強度が低いという問題がある。このため、表示部の背面に補強板を設けて補強を行っているが、このような補強板を設けると、全体の厚みが増してしまい、薄型化の要求を満たすことができなかった。
【０００４】
本発明は、上記事情に鑑みてなされたもので、十分な強度を確保しつつ十分に薄型化が可能な表裏に表示部を備えた携帯端末を提供することを目的としている。
【課題を解決するための手段】
【０００５】
上記目的を達成するために、本発明の携帯端末は、互いの表示面が反対方向を向くように設けられた第１の表示部と第２の表示部とを有する携帯端末において、少なくとも前記第１の表示部は、表示面を有する第１の表示器と、該第１の表示器の背面に設けられた第１の補強板とを含み、前記第１の補強板には切り欠き部を備え、前記第２の表示部における背面部の少なくとも一部を前記切り欠き部に嵌合して前記第１及び第２の表示部を筐体内に搭載するようにしたことを特徴とする。
【０００６】
また本発明は、前記第２の表示部は、第２の表示面を有する表示器と、該第２の表示器の背面に設けられた第２の補強板を含むと共に、前記第２の補強板は、その背面中央に背面周縁に対して厚み方向に突出した凸部を有し、当該第２の補強板の凸部を前記第１の補強板の切り欠き部に嵌合してあることを特徴とする。
【０００７】
また本発明は、前記第１の補強板の切り欠き部近傍に、前記第２の補強板を挟持する爪部を具備することを特徴とする。
【０００８】
また、本発明は、前記筐体は、開閉可能に連結された２つの筐体片からなり、当該２つの筐体片のうちいずれか一方の筐体片に前記第１及び第２の表示部をそれぞれ備えると共に、前記第１の表示部の表示面は閉状態にしたときに他方の筐体片と対向する面側に、前記第２の表示部の表示面は閉状態にしたときに他方の筐体片と対向する面と反対の面側にそれぞれ位置するように配したことを特徴とする。
【発明の効果】
【０００９】
本発明の携帯端末によれば、第１の補強板の切り欠きに第２の補強板が嵌合するので、第１および第２の表示部の位置決めおよび組立が容易になるとともに、複数の表示部を重ねて設けることによる厚みの増加を極力少なくしつつ表示部の強度を高めることができる。
【００１０】
また本発明によれば、第１の補強板によって第１の表示部の周縁部分を確実に補強することができ、第２の補強板によってその凹部内に収容された第２の表示部の全体を確実に補強することができ、しかも、第２の補強板の凹部が第１の補強板の切り欠き部に配置されるため、２つの表示部が重なっているにもかかわらず、厚さの増加を最小限にすることができる。
【００１１】
また本発明によれば、第１の補強板に形成された爪部によって、第２の補強板を確実に位置決めすることができ、組立時における作業性を向上させることができる。
また本発明によれば、筐体の一方の面に第１の表示部が向けられ、他方の面に第２の表示部が向けられた携帯端末において、第１および第２の補強板によって、ひねりや面に垂直にかかる力に対して十分な強度を確保しつつ十分な薄型化を実現することができる。
【発明を実施するための最良の形態】
【００１２】
以下、本発明を実施するための最良の形態について、図面を参照して説明する。
図１は本実施形態に係る携帯端末の外観を示すものである。
符号１Ａ、１Ｂは筐体であって、ヒンジ部２によって互いに回動自在に連結されている。前記筐体１Ａには、テンキーなどの操作キーからなる操作部３が設けられ、前記筐体１Ｂには、内側に向けられた第１表示部４Ａと、外側に向けられた第２表示部４Ｂとが設けられている。本実施形態では、前記第１表示部４Ａは液晶表示装置から構成され、第２表示部４Ｂは有機エレクトロルミネッセンス装置（以下ＯＥＬと称す）から構成されている。
【００１３】
前記筐体１Ｂの表面（図１の上面）には前記第２表示部４Ｂおよびその周辺部分を覆ってハーフミラー５が設けられている。このハーフミラー５は、内側の第２表示部４Ｂからの光線を外側へ透過するとともに、外部からの光線を反射するようになっている。前記筐体１Ｂの上面には、表示切り替え等の操作に用いられるプッシュスイッチ６と、撮影に用いられるカメラ７と、撮影に際して発光するフラッシュ装置８とが設けられている。
【００１４】
次いで、前記筐体１Ｂの内部の構成を説明する。図３は、本実施形態に係る携帯端末内に設けられた表示部の概略側面図、図３は、携帯端末の内部構造を説明する分解斜視図、図４は、第１の表示部を補強する第１の補強板の斜視図、図５は、第２の表示部を補強する第２の補強板の裏面側から見た斜視図である。
【００１５】
本実施形態に係る携帯端末は、図３に示すように、図２の符号４Ａに対応する第１表示部１１、およびこの第１表示部１１よりも小さい第２表示部１２（図１の符号４Ｂに対応する）を有している。これら第１表示部１１と第２表示部１２とは、互いに重ね合わされた状態にて図示しない同一筐体内に配設されている。
【００１６】
図４に示すように、第１の表示部１１には、その表示面１１ａと反対側の面である背面に第１の補強板１３を備えている。この第１の補強板１３は、その略中央部分に、切り欠き１３ａを有している。
【００１７】
この第１の補強板１３は、切り欠き１３ａの周縁部分に、複数の爪部１３ｂ、１３ｄ、および舌片１３ｃを備えている。これらのうち、爪部１３ｂは、前記第１の補強板１３を打ち抜き加工等によって所定の平面形状に形成した後、前記切り欠き１３ａの内方に突出して形成された部分を垂直に折り曲げることにより容易に形成することができる。また前記舌片１３ｃは、前記爪部１３ｂを折り曲げる際に、折り曲げることなく切り欠き１３ａに囲まれた空間内に残したままにすることにより形成される。すなわち、前記爪部１３ｂ、及び舌片１３ｃは、第１の補強板１３に切り欠き１３ａを形成するために必然的に行われる打ち抜き等の加工とともに形成することができる。そして、この第１の補強板１３は、前記爪部１３ｂ及び舌片１３ｃによって第２の表示部１２を所定位置に位置決めして保持している。
特に、爪部１３ｂは、複数が立設され、その対向する方向に対しては、第２の補強板１５の外周を嵌合保持するよう構成することが好ましく、さらには、舌片１３ｃを第２の補強板１５の周縁部分の底面と接触させることにより、さらに確実に位置決めすることができるばかりか、第１の補強板１３と第２の補強板１５とで互いに連結されて補強し合うので、さらに強度を向上させることができる。
また、切り欠き１３ａを形成する時の加工の際、爪部１３ｄも第１の補強板１３の外周に対応する位置に爪部１３ｂと反対方向へ折り曲げることにより形成することができる。この爪部１３ｄは、第１の表示部１１を把持し、第１の補強板を第１の表示部１１に固定する役割を果たす。
【００１８】
なお、図５に示すように、この第１の補強板１３には、その表面側に、フレキシブル配線板１４が積層される。このフレキシブル配線板１４は、第１の補強板１３の切り欠き１３ａに対応した位置に切り欠き１４ａを有しており、このフレキシブル配線板１４を第１の補強板１３に積層させた際に、第１の補強板１３の切り欠き１３ａを塞がないようになっている。
【００１９】
第２の表示部１２には、そのガラス基板１２ａと反対側の面である背面部に、例えばステンレス鋼により形成された第２の補強板１５を備えている。この第２の補強板１５は、略中央部分を凹ますことにより、表面部に凹部１５ａが形成され、背面部に凸部１５ｂが形成された形状とされている。そして、この第２の補強板１５には、その凹部１５ａ内に、第２表示部１２を構成するＯＥＬの素子本体１２ｂが収容されている。この素子本体１２ｂは、前記ガラス基板１２ａを前記第２の補強板１５に重ねて接着することにより、前記凹部１５ａ内に封止されるようになっている。
【００２０】
なお、図６に示すように、第２の表示部１２には、フレキシブル配線板１６が接続されており、第２の表示部１２は、このフレキシブル配線板１６を介して供給される信号によって制御される。
【００２１】
上記のような第１の表示部１１および第２の表示部１２は、互いに重ね合わされ、第２の表示部１２の第２の補強板１５の凸部１５ｂが、第１の表示部１１の第１の補強板１３に形成された切り欠き１３ａに嵌合することにより、容易に位置決めして組み立てることができる。なおここにいう嵌合は、機械工作上の嵌め合いにおける緩み嵌め、締まり嵌め、および中間嵌めのいずれであっても良いものとする。
【００２２】
このように、上記第１の表示部１１と第２の表示部１２とは、第１の表示部１１が第１の補強板１３と重なる範囲と第２の表示部１２が第２の補強板１５と重なる範囲とが互いにずれた位置に配置される。
この実施形態では、前記第２の表示部１２は、その背面の第２の補強板１５が、第１の表示部１１の第１の補強板１３に形成された爪部１３ｂ、舌片１３ｃによって周縁部が係止され、第２の補強板１５が第１の補強板１３の切り欠き１３ａによって位置決めされる。
【００２３】
このように、本実施形態に係る携帯端末によれば、互いに反対の面へ向けられた第１および第２の表示部１２の表示面１１ａ、１２ａと反対側の面に、第１および第２の表示部１１、１２をそれぞれ補強する第１および第２の補強板１３、１５を設け、しかも、第１の表示部１１が第１の補強板１３と重なる範囲と第２の表示部１２が第２の補強板１５と重なる範囲とを互いにずらしたので、第１および第２の補強板１３、１５を設けることによる厚みの増加を極力少なくしつつ第１および第２の表示部１１、１２の強度を高めることができる。
【００２４】
また、第１の補強板１３によって第１の表示部１１の周縁部分を確実に補強することができ、第２の補強板１５によってその凹部１５ａ内に収容された第２の表示部１２の全体を確実に補強することができ、しかも、第２の補強板１２の凹部１５ａを第１の補強板１１と重ならない範囲に形成することにより厚さの増加を抑えることができる。
【００２５】
さらに、第１の補強板１１に形成された爪部１３ｂ、舌片１３ｃによって、第２の表示部１２を確実に位置決めすることができ、組立時における作業性を向上させることができる。また、爪部１３ｂ、舌片１３ｃの高さが、これらによって位置決めされる第２の表示部１２の厚さを越えない範囲に収まるので、これら爪部１３ｂ、舌片１３ｃを設けることが携帯電話機の薄型化を損なうことがない。
【００２６】
つまり、上記実施形態によれば、筐体の一方の面に第１の表示部１１が向けられ、他方の面に第２の表示部１２が向けられた携帯端末において、第１および第２の補強板１３、１５によって、ひねりや面に垂直にかかる力に対して十分な強度を確保しつつ十分な薄型化を実現することができる。さらに、上記実施形態のように、第１の表示部１１の平面形状より（より詳細には第１の表示部１１の補強板１３の切り欠き１３ａの平面形状より）第２の表示部１２の平面形状を小さくしたので、第２の表示部１２の補強板１５を前記切り欠き１３ａ内に格納することができる。したがって、２枚の表示部（液晶素子等）が表裏に重ねられた構造であるにもかかわらず、携帯端末の厚さ寸法を可及的に小さくする事ができる。
【００２７】
なお、上記の実施形態では、第１の表示部１１として液晶表示装置を用い、第２の表示部１２として有機ＥＬ装置を用いたが、これら第１の表示部１１および第２の表示部１２として用いる表示装置は、上記の例に限定されない。
【図面の簡単な説明】
【００２８】
【図１】本実施形態にかかる携帯端末を折り畳んだ状態の斜視図である。
【図２】本実施形態にかかる携帯端末を広げた状態の斜視図である。
【図３】本実施形態に係る携帯端末内に設けられた表示部の概略側面図である。
【図４】携帯端末の内部構造を説明する分解斜視図である。
【図５】第１の表示部を補強する第１の補強板の斜視図である。
【図６】第２の表示部を補強する第２の補強板の裏面側から視た斜視図である。
【符号の説明】
【００２９】
４Ａ、１１  第１の表示部      ４Ｂ、１２  第２の表示部
１２ａ  ガラス基板            １２ｂ  素子本体
１３  第１の補強板            １３ａ  切り欠き部      １３ｂ、１３ｄ  爪部
１３ｃ  舌片                  １５  第２の補強板      １５ａ  凹部
【図１】
2005192012.tif 000003
【図２】
2005192012.tif 000004
【図３】
2005192012.tif 000005
【図４】
2005192012.tif 000006
【図５】
2005192012.tif 000007
【図６】
2005192012.tif 000008